(57)【要約】【課題】板状ワークを吊下する板状ワーク挟持部材において、当該板状ワークを処理液中でしっかり保持すると共に、当該板状ワークを処理液中から取り出した状態で当該板状ワーク挟持部材から滴下する当該処理液を当該板状ワークから離間する方向に導く板状ワーク挟持部材を提供することを目的とする。【解決手段】この目的を達成するため、板状ワークを処理液に浸漬して当該板状ワークの被処理面に処理被膜を形成するために、当該板状ワークを吊下する板状ワーク挟持部材であって、当該板状ワークを挟持する一対の対向する挟持片を備え、当該挟持片のそれぞれは、当該板状ワークを挟持する部分の相対向する側に突設し、当該板状ワーク挟持部材から滴下する当該処理液を当該板状ワークから離間する方向に導く液だれ誘導爪を備えたことを特徴とする板状ワーク挟持部材を採用する。【選択図】図５
2016035082.tif 000002
【特許請求の範囲】
【請求項１】
板状ワークを処理液に浸漬して当該板状ワークの被処理面に処理被膜を形成するために、当該板状ワークを吊下する板状ワーク挟持部材であって、
当該板状ワークを挟持する一対の対向する挟持片を備え、
当該挟持片のそれぞれは、当該板状ワークを挟持する部分の相対向する側に突設し、当該板状ワーク挟持部材から滴下する当該処理液を当該板状ワークから離間する方向に導く液だれ誘導爪を備えたことを特徴とする板状ワーク挟持部材。
【請求項２】
前記液だれ誘導爪は、前記板状ワークと接触する部分から鉛直線の下方に向けて徐々に離間する傾斜形状を有したものである請求項１に記載の板状ワーク挟持部材。
【請求項３】
前記液だれ誘導爪は、線条部材を曲げ加工して形成され、前記板状ワークを側面からみたときに、鉛直線の上方に開放した略Ｕ字形状に湾曲した形状を有したものである請求項２に記載の板状ワーク挟持部材。
【請求項４】
前記液だれ誘導爪は、線条部材を曲げ加工して形成され、前記板状ワークを側面からみたときに、リング形状を呈したものである請求項２に記載の板状ワーク挟持部材。
【請求項５】
前記液だれ誘導爪は、コイル状に形成したものである請求項４に記載の板状ワーク挟持部材。
【請求項６】
前記液だれ誘導爪は、前記板状ワークと接触する部分を球状としたものである請求項２〜請求項５のいずれかに記載の板状ワーク挟持部材。
【請求項７】
前記処理液が化学薬品処理液である請求項１〜請求項６のいずれかに記載の板状ワーク挟持部材。
【発明の詳細な説明】
【技術分野】
【０００１】
本件出願に係る発明は、板状ワークを処理液に浸漬して当該板状ワークの被処理面に処理被膜を形成するために、当該板状ワークを吊下する板状ワーク挟持部材に関し、具体的には、板状ワークを処理液中から取り出した状態で、当該板状ワーク挟持部材から滴下する当該処理液を当該板状ワークから離間する方向に導く液だれ誘導爪を備えた板状ワーク挟持部材に関する。
【背景技術】
【０００２】
従来より、板状ワークを処理液に浸漬して当該板状ワークの被処理面に処理被膜を形成するために、当該板状ワークを吊下すべく当該板状ワークの被処理面を挟み込む板状ワーク挟持部材が用いられている。この板状ワーク挟持部材は、例えば板状ワークの被処理面にエッチング処理を施す際に、当該板状ワークをエッチング処理の処理液に浸漬させる専用の板状ワーク吊下治具に取り付けられる。
【０００３】
例えば、従来において、板状ワークに処理被膜を施す場合には、薄板状の矩形ワークを処理槽内に貯留した処理液中にて保持するために、特許文献１に示すような板状ワーク挟持部材が用いられていた。当該特許文献１の板状ワーク挟持部材（チャック部材）は、ワークの第１面に接触する固定部材と、当該固定部材と対向する位置にてワークの当該第１面の反対側の第２面に接離可能に配置され、当該第２面に押圧接触される可動部材とを含むものである。そして、当該可動部材が、押圧解除時に駆動される被駆動片と、当該被駆動片の非駆動時にヒンジを介してばね圧により常時固定部材側に押圧される押圧駆動片と、当該押圧駆動片の自由端部に形成された薄板状の押圧片と、を含むものである（特許文献１の図１０等参照のこと。）。
【０００４】
図６は、従来の板状ワーク挟持部材により板状ワークを保持した状態を示す部分拡大図である。図６に例示する、従来の板状ワーク挟持部材１００は、第１挟持片１０１と第２挟持片１０２とからなり、当該第１挟持片１０１と当該第２挟持片１０２とのそれぞれに当該板状ワークＷを挟持する爪１０３、１０４が備えられ、第１挟持片１０１を可動させて当該板状ワークＷを挟持するものである。
【先行技術文献】
【特許文献】
【０００５】
【特許文献１】特開２０１３−１１００９号公報
【発明の概要】
【発明が解決しようとする課題】
【０００６】
しかし、特許文献１に示すような、従来の板状ワーク挟持部材は、処理被膜を施すに際して、処理液に浸漬させた板状ワークを当該処理液から取り出した状態で、板状ワーク挟持部材から当該処理液が当該板状ワークに伝って、当該板状ワークの処理面を部分的に垂れシミ等により変色させる外観不良が生じていた。特に、板状ワークを処理液から取り出し、次工程へ搬送する際に、垂れシミが大きくなる問題が生じていた。
【０００７】
図６に示した、従来の板状ワーク挟持部材１００は、当該挟持片１０１，１０２のそれぞれが、当該板状ワークＷを挟持する部分の相対向する側に、円柱形状や角柱形状の爪１０３，１０４を突設させただけのものである。円柱形状や角柱形状の爪１０３，１０４の場合、板状ワークＷを処理液中から取り出したときに当該爪１０３と挟持片１０１との間に形成される空間、及び当該爪１０４と挟持片１０２との間に形成される空間に液だまりが生じる。よって、板状ワークＷを処理液中から取り出した状態や、その後次工程に搬送した際に、当該液だまりの処理液が爪１０３，１０４を伝って当該板状ワークの処理面に到達する。当該板状ワークの処理面に到達した処理液は、当該処理面に垂れシミ等の外観不良を生じさせ、商品価値を低下させてしまう。ちなみに、板状ワークＷを塗装液に浸積させて、当該板状ワークＷに塗装を施す際に、図６に示した板状ワーク挟持部材１００を用いた場合にも、板状ワークＷを塗装液から取り出したときに当該爪１０３、１０４と挟持片１０１、１０２との間に形成される空間に生じる液だまりが爪１０３，１０４を伝って当該板状ワークの処理面に到達し、当該処理面に部分的に凸部等の外観不良を生じさせてしまう。
【０００８】
なお、上述した問題の影響を軽減すべく、当該板状ワーク挟持部材１００の使用数を少なくしたり、当該挟持部材１００を板状ワークＷの側端部付近のみに配置したりすることが考えられる。しかし、この場合には、板状ワークＷを安定して吊下保持することが困難となる。
【０００９】
以上のことから、本件発明は、板状ワークを処理液に浸漬して当該板状ワークの被処理面に処理被膜を形成するために、当該板状ワークを吊下する板状ワーク挟持部材において、当該板状ワークを処理液中でしっかり保持すると共に、当該板状ワークを処理液中から取り出し、その後次工程に搬送する場合において、当該板状ワーク挟持部材から滴下する当該処理液を当該板状ワークから離間する方向に導く板状ワーク挟持部材を提供することを目的とする。
【課題を解決するための手段】
【００１０】
そこで、本件発明者等は、鋭意研究の結果、以下に示す板状ワーク挟持部材を提供することで、上述した課題を達成出来ることに想到した。
【００１１】
本件発明に係る板状ワーク挟持部材は、板状ワークを処理液に浸漬して当該板状ワークの被処理面に処理被膜を形成するために、当該板状ワークを吊下する板状ワーク挟持部材であって、当該板状ワークを挟持する一対の対向する挟持片を備え、当該挟持片のそれぞれは、当該板状ワークを挟持する部分の相対向する側に突設し、当該板状ワーク挟持部材から滴下する当該処理液を当該板状ワークから離間する方向に導く液だれ誘導爪を備えたことを特徴とする。
【００１２】
本件発明に係る板状ワーク挟持部材において、前記液だれ誘導爪は、前記板状ワークと接触する部分から鉛直線の下方に向けて徐々に離間する傾斜形状を有したものであることが好ましい。
【００１３】
本件発明に係る板状ワーク挟持部材において、前記液だれ誘導爪は、線条部材を曲げ加工して形成され、前記板状ワークを側面からみたときに、鉛直線の上方に開放した略Ｕ字形状に湾曲した形状を有したものであることが好ましい。
【００１４】
本件発明に係る板状ワーク挟持部材において、前記液だれ誘導爪は、線条部材を曲げ加工して形成され、前記板状ワークを側面からみたときに、リング形状を呈したものであることが好ましい。
【００１５】
本件発明に係る板状ワーク挟持部材において、前記液だれ誘導爪は、コイル状に形成したものであることが好ましい。
【００１６】
本件発明に係る板状ワーク挟持部材において、前記液だれ誘導爪は、前記板状ワークと接触する部分を球状としたものであることが好ましい。
【００１７】
本件発明に係る板状ワーク挟持部材において、前記処理液が化学薬品処理液であることが好ましい。
【発明の効果】
【００１８】
本件発明に係る板状ワーク挟持部材は、挟持した板状ワークを処理液中から取り出した状態で、当該処理液が当該板状ワーク挟持部材から当該板状ワークに到達するのを効果的に防止することが出来る。従って、本件発明に係る板状ワーク挟持部材によれば、板状ワークの被処理面に形成した処理被膜に垂れシミ等の外観不良を生じさせずに、当該板状ワークの被処理面に安定的に高品質の処理被膜を形成することが出来る。
【図面の簡単な説明】
【００１９】
【図１】本件発明に係る板状ワーク挟持部材を用いた板状ワーク吊下治具の正面図である。
【図２】図１の板状ワーク吊下治具の側面図である。
【図３】図２のＡで示す箇所の本件発明の第１の形態としての液だれ誘導爪の部分拡大図である。
【図４】図２のＡで示す箇所の本件発明の第２の形態としての液だれ誘導爪の部分拡大図である。
【図５】図２のＡで示す箇所の本件発明の第３の形態としての液だれ誘導爪の部分拡大図である。
【図６】従来の板状ワーク挟持部材により板状ワークを保持した状態を示す部分拡大図である。
【発明を実施するための形態】
【００２０】
以下、図面を参照して、本件発明に係る板状ワーク挟持部材の好適な実施形態について説明する。
【００２１】
本件発明に係る板状ワーク挟持部材は、板状ワークを処理液に浸漬して当該板状ワークの被処理面に処理被膜を形成するために、当該板状ワークを吊下するものである。そして、本件発明に係る板状ワーク挟持部材は、当該板状ワークを挟持する一対の対向する挟持片を備え、当該挟持片のそれぞれが、当該板状ワークを挟持する部分の相対向する側に突設し、当該板状ワーク挟持部材から滴下する当該処理液を当該板状ワークから離間する方向に導く液だれ誘導爪を備えたことを特徴とする。
【００２２】
本件発明に係る板状ワーク挟持部材は、上述した液だれ誘導爪を備えることで、挟持片を伝って流れ落ちる処理液が当該液だれ誘導爪に伝わったとしても、当該処理液を板状ワークに伝達させずに滴下させると共に、当該挟持片と当該液だれ誘導爪との間に形成される空間に生じる液だまりの処理液を当該板状ワークから離間する方向に誘導させて滴下させる。その結果、本件発明に係る板状ワーク挟持部材によれば、挟持した板状ワークを処理液中から取り出し、その後次工程に搬送する場合において、当該処理液が当該板状ワークに到達するのを効果的に防止し、板状ワークの処理面の美観を損ねることなく、安定的に高品質の処理被膜を形成することが可能となる。
【００２３】
ここで、本件発明に係る板状ワーク挟持部材は、吊下した板状ワークを処理液に浸漬して当該板状ワークの被処理面に処理被膜を形成するに際し、特に当該処理液が化学薬品処理液である場合に好適に用いることが出来る。ここでいう化学薬品処理液とは、当該板状ワークの被処理面に処理被膜を形成するため、化学的変化を起こさせる溶液を指し、一例としてはめっき液、エッチング液、塗装液等を挙げることが出来る。以下に、本件発明に係る板状ワーク挟持部材の一実施形態として、当該板状ワークをプリント基板とし、当該プリント基板の被処理面にめっき被膜を形成する工程に含まれる、当該プリント基板の表面を粗化して接着剤処理するエッチング工程において、当該プリント基板を当該化学薬品処理液（エッチング液）に浸漬させる場合を例に挙げて、当該板状ワーク挟持部材を具体的に説明していく。
【００２４】
＜本件発明の板状ワーク吊下治具について＞
まず、本件発明に係る板状ワーク挟持部材を用いた板状ワーク吊下治具１の構成について、図１及び図２を用いて簡単に説明しておく。ここで、図１は、本件発明に係る板状ワーク挟持部材を用いた板状ワーク吊下治具の正面図である。また、図２は、図１の板状ワーク吊下治具１の側面図である。これら図１及び図２には、板状ワークであるプリント基板Ｗを化学薬品処理液に浸漬させて当該板状ワークＷの被処理面ＷＳに処理被膜を形成する場合に利用される板状ワーク吊下治具１を例示してある。図１及び図２に例示する板状ワーク吊下治具１は、当該プリント基板Ｗをエッチング液中で保持するものである。この板状ワーク吊下治具１は、プリント基板Ｗの外形に沿って枠部材が矩形状に配置される。具体的には、一対の支持バー２、３がプリント基板Ｗの上下辺に沿って配置され、一対のサイドバー４、５がプリント基板Ｗの側片に沿って配置され、各サイドバー４及び５は、上述の支持バー２及び３に対して垂直に配置されて、当該支持バー２、３の端部間をそれぞれ連結する。また、各支持バー２、３には、プリント基板Ｗの上部又は下部を着脱自在に保持するクリップ式の板状ワーク挟持部材１０、２０が、当該支持バー２、３の長手方向に沿って複数設けられる。当該板状ワーク挟持部材１０、２０は、プリント基板Ｗの周辺部を着脱自在に挟持し、対向配置される板状ワーク挟持部材２０、１０と共に当該プリント基板Ｗに所定の張力を付与して当該プリント基板Ｗを保持することが可能なものである。なお、図２中、板状ワーク挟持部材１０、２０は、開放状態を示しているが、当該板状ワーク挟持部材１０、２０を閉じることにより、プリント基板Ｗを挟み込んで保持することが出来る。
【００２５】
以上に、本件発明に係る板状ワーク挟持部材１０を用いた板状ワーク吊下治具１について説明したが、当該板状ワーク吊下治具１によればプリント基板Ｗを化学薬品処理液であるエッチング液から取り出し、その後次工程に搬送する場合において、板状ワーク挟持部材１０に付着した当該エッチング液が当該プリント基板Ｗの表面に伝わることによって、部分的に垂れシミや変色が生じ、当該めっき被膜の美観を損ねる弊害を抑制することが出来る。
【００２６】
＜本件発明に係る板状ワーク挟持部材について＞
次に、本件発明に係る板状ワーク挟持部材について説明する。本件発明に係る板状ワーク挟持部材は、一対の対向する挟持片を備え、これら一対の挟持片を互いに近接する方向に押圧又は可動する手段を備え、板状ワークを挟持して吊下することを可能とするものである。例えば、図１及び図２に示す板状ワーク挟持部材１０は、ばねの弾力を利用することによって当該プリント基板Ｗを挟持する一対の対向する挟持片を備え、当該挟持片のそれぞれの当該プリント基板Ｗを挟持する部分の相対向する側に当該液だれ誘導爪を突設させた、所謂クリップ（ｃｌｉｐ）式の挟持部材である。ちなみに、本件発明に係る板状ワーク挟持部材１０は、図１及び図２に示すクリップ式に限定されるものではなく、一対の対向する挟持片を互いに近接する方向に移動させて当該プリント基板等の板状ワークＷを挟持する構造の部材であればよく、例えば上記特許文献１（特開２０１３−１１００９号公報）に示されるチャック（ｃｈｕｃｋ）式の挟持部材や、締め金により締め付けて固定する（ｃｌａｍｐ）式の挟持部材であってもよい。また、本件発明に係る板状ワーク挟持部材１０は、その材質に関しても特に限定されるものではなく、挟持する板状ワークの材質や大きさ、使用設備等に応じて適宜選択することが出来る。
【００２７】
ここで、本件発明に係る板状ワーク挟持部材において、上述した液だれ誘導爪は、板状ワークと接触する部分から鉛直線の下方に向けて徐々に離間する傾斜形状を有したものであることが好ましい。以下、図３〜図５に示す液だれ誘導爪の形態を例に挙げて、本件発明に係る板状ワーク挟持部材の実施形態について説明する。
【００２８】
＜第１の形態としての液だれ誘導爪を備えた板状ワーク挟持部材について＞
図３は、図２のＡで示す箇所の本件発明の第１の形態としての液だれ誘導爪の部分拡大図である。図３に例示するように、本件発明に係る板状ワーク挟持部材１０（１０ａ）は、第１挟持片１１と第２挟持片１２とを備える。そして、当該第１挟持片１１と当該第２挟持片１２とのそれぞれに板状ワークとして用いるプリント基板Ｗを挟持する液だれ誘導爪１３（１３ａ）、１４（１４ａ）が備えられる。そして、図３に示す板状ワーク挟持部材１０ａは、ばね（不図示）の弾力を利用して、当該第１挟持片１１に備わる液だれ誘導爪１３ａと当該第２挟持片１２に備わる液だれ誘導爪１４ａとの間を閉じる方向に作用させることで、当該プリント基板Ｗを挟持するものである。ちなみに、図３に示す板状ワーク挟持部材１０ａは、当該第２挟持片１２が板状ワーク吊下治具１に固定されており、当該第１挟持片１１のみを可動させて当該液だれ誘導爪１３ａと当該液だれ誘導爪１４ａとの間を閉じることが出来るものである。
【００２９】
そして、図３に示す液だれ誘導爪１３ａ、１４ａは、プリント基板Ｗと接触する部分から鉛直線の下方に向けて徐々に離間する傾斜形状を有するものとするために、線条（ｗｉｒｅ）部材を曲げ加工して形成され、プリント基板Ｗを側面からみたときに、鉛直線の上方に開放した略Ｕ字形状に湾曲した形状を有したものである。
【００３０】
図３に示すように、本件発明に係る板状ワーク挟持部材１０ａは、液だれ誘導爪１３ａ，１４ａが線条部材を曲げ加工して形成されることで、第１挟持片１１と液だれ誘導爪１３ａとの間に形成される空間、及び第２挟持片１２と液だれ誘導爪１４ａとの間に形成される空間に液だまりが生じ難くなり、当該プリント基板Ｗにエッチング液が到達するのを効果的に抑制することが出来る。また、本件発明に係る板状ワーク挟持部材１０ａは、板状ワークとして用いるプリント基板Ｗを側面からみたときに、鉛直線の上方に開放した略Ｕ字形状に湾曲した形状（略釣り針形状等を含む）を有することで、当該エッチング液を当該プリント基板Ｗから離間する方向に誘導することが出来る。ここで、当該液だれ誘導爪１３ａ，１４ａにエッチング液が溜まり難くなることで、当該液だれ誘導爪１３ａ，１４ａに付着したエッチング液が後工程の異なる薬品を貯留した槽に持ち込こまれる恐れもなくなり、高品質のめっき被膜を形成することが可能となる。ちなみに、本件発明係る板状ワーク挟持部材１０ａは、当該液だれ誘導爪１３ａ，１４ａを曲げ加工により形成するに際してφ１．７ｍｍ〜φ２．０ｍｍの線条部材を用いることで、エッチング液が当該板状ワーク挟持部材１０ａに溜まるのを抑制しながらも、当該プリント基板Ｗをしっかりと保持することが出来るため好ましい。
【００３１】
＜第２の形態としての液だれ誘導爪を備えた板状ワーク挟持部材について＞
次に、図４は、図２のＡで示す箇所の本件発明の第２の形態としての液だれ誘導爪の部分拡大図である。図４に例示するように、本件発明に係る板状ワーク挟持部材１０（１０ｂ）は、第１挟持片１１と第２挟持片１２とを備える。そして、当該第１挟持片１１と当該第２挟持片１２とのそれぞれに板状ワークとして用いるプリント基板Ｗを挟持する液だれ誘導爪１３（１３ｂ）、１４（１４ｂ）が備えられる。そして、図４に示す板状ワーク挟持部材１０ｂは、ばね（不図示）の弾力を利用して、当該第１挟持片１１に備わる液だれ誘導爪１３ｂと当該第２挟持片１２に備わる液だれ誘導爪１４ｂとの間を閉じる方向に作用させることで、当該プリント基板Ｗを挟持するものである。ちなみに、図４に示す板状ワーク挟持部材１０ｂは、図３に示した板状ワーク挟持部材１０ａと同様の方法で板状ワーク吊下治具１に固定される。
【００３２】
そして、図４に示す液だれ誘導爪１３ｂ、１４ｂは、プリント基板Ｗと接触する部分から鉛直線の下方に向けて徐々に離間する傾斜形状を有するものとするために、線条（ｗｉｒｅ）部材を曲げ加工して形成され、プリント基板Ｗを側面からみたときに、リング形状を呈したものである。
【００３３】
図４に示すように、本件発明に係る板状ワーク挟持部材１０ｂは、液だれ誘導爪１３ｂ，１４ｂが線条部材を曲げ加工して形成されることで、第１挟持片１１と液だれ誘導爪１３ｂとの間、及び第２挟持片１２と液だれ誘導爪１４ｂとの間に形成される空間に液だまりが生じ難くなり、当該プリント基板Ｗにエッチング液が到達するのを効果的に抑制することが出来る。また、本件発明に係る板状ワーク挟持部材１０ｂは、板状ワークとして用いるプリント基板Ｗを側面からみたときに、鉛直線の上方に開放した略Ｕ字形状に湾曲した形状（略釣り針形状等を含む）を有することで、当該エッチング液を当該プリント基板Ｗから離間する方向に誘導することが出来る。ここで、当該液だれ誘導爪１３ｂ，１４ｂにエッチング液が溜まり難くなることで、当該液だれ誘導爪１３ｂ，１４ｂに付着したエッチング液が後工程の異なる薬品を貯留した槽に持ち込こまれる恐れもなくなり、高品質のめっき被膜を形成することが出来る。なお、本件発明に係る液だれ誘導爪１０ｂにおいて、当該液だれ誘導爪１３ｂ，１４ｂは、当該プリント基板Ｗを側面からみたときに、リング形状を呈するものであれば、例えばコイル状に形成したものであってもよい。
【００３４】
＜第３の形態としての液だれ誘導爪を備えた板状ワーク挟持部材について＞
次に、図５は、図２のＡで示す箇所の本件発明の第３の形態としての液だれ誘導爪の部分拡大図である。図５に例示するように、本件発明に係る板状ワーク挟持部材１０（１０ｃ）は、第１挟持片１１と第２挟持片１２とを備える。そして、当該第１挟持片１１と当該第２挟持片１２とのそれぞれに板状ワークとして用いるプリント基板Ｗを挟持する液だれ誘導爪１３（１３ｃ）、１４（１４ｃ）が備えられる。そして、図５に示す板状ワーク挟持部材１０ｃは、当該第１挟持片１１に備わる液だれ誘導爪１３ｃと当該第２挟持片１２に備わる液だれ誘導爪１４ｃとの間を閉じることで当該プリント基板Ｗを挟持するものである。ちなみに、図５に示す板状ワーク挟持部材１０ｃは、図３に示した板状ワーク挟持部材１０ａと同様の方法で板状ワーク吊下治具１に固定される。
【００３５】
そして、図５に示す液だれ誘導爪１３ｃ、１４ｃは、プリント基板Ｗと接触する部分から鉛直線の下方に向けて徐々に離間する傾斜形状を有するものとするために、当該プリント基板Ｗと接触する部分を球状としたものである。
【００３６】
図５に示すように、本件発明に係る板状ワーク挟持部材１０ｃは、液だれ誘導爪１３ｃ，１４ｃが、板状ワークとして用いるプリント基板Ｗと接触する部分に球状体１５，１６を設けることで、当該液だれ誘導爪１３ｃ，１４ｃと当該プリント基板Ｗとの接触部分に付着したエッチング液を当該プリント基板Ｗから離間する方向へスムーズに誘導することが出来る。なお、図５に示す液だれ誘導爪１３ｃ，１４ｃは、図３に示すように、線条（ｗｉｒｅ）部材を曲げ加工して形成され、当該プリント基板Ｗを側面からみたときに、鉛直線の上方に開放した略Ｕ字形状に湾曲した形状を呈し、且つ当該プリント基板Ｗと接触する側に当該当該球状体１５，１６を設けたものである。本件発明の液だれ誘導爪１３，１４は、このように例えば図３や図４に示す形態の誘導爪１３（１３ａ，１３ｂ），１４（１４ａ，１４ｂ）の当該プリント基板Ｗと接触する側に当該球状体１５，１６を設けることで、当該プリント基板Ｗにエッチング液が伝わるのをより効果的に抑制し、より安定して高品質の製品を提供することが可能となる。
【００３７】
以上、図３〜図５に示す液だれ誘導爪の形態を例に挙げて、本件発明に係る板状ワーク挟持部材の一実施形態について説明したが、本件発明に係る板状ワーク挟持部材は、板状ワークと接触する部分から鉛直線の下方に向けて徐々に離間する傾斜形状を有する液だれ誘導爪を備えることで、当該板状ワーク挟持部材から滴下する処理液を、当該傾斜形状に沿って誘導し、当該板状ワークから離間した位置で滴下させることが出来る。従って、本件発明に係る板状ワーク挟持部材によれば、板状ワークを処理液に浸漬させて、当該板状ワークの被処理面に優れた品質の処理被膜を形成することが出来る。なお、特に当該板状ワークの被処理面に電気めっき処理や無電解めっき処理を施してめっき被膜を形成する場合も、本件発明に係る板状ワーク挟持部材を用いることで、歩留まりや品質面において大きな効果を発揮することが出来る。さらに、本件発明に係る板状ワーク挟持部材によれば、当該板状ワーク挟持部材に付着した処理液を板状ワークの処理面に伝わらせずに滴下することができ、当該処理面に垂れシミや変色が発生する原因となる処理液の染み込みを効果的に抑制することが出来るため、後処理の水洗工程を簡略化して水の使用量を節約することも出来る。
【産業上の利用可能性】
【００３８】
本件発明に係る板状ワーク挟持部材は、簡易な構造でありながらも板状ワークをしっかりと吊下し、また、処理液が被処理面を伝うことを効果的に抑制することが出来る。従って、本件発明に係る板状ワーク挟持部材は、安価でありながらも、当該板状ワークの被処理面に高品質の処理被膜を形成することが出来る。
【符号の説明】
【００３９】
Ｗ      板状ワーク（プリント基板）
ＷＳ      被処理面
１      板状ワーク吊下治具
２、３      支持バー
４、５      サイドバー
１０      板状ワーク挟持部材（板状ワーク吊下用）
２０      板状ワーク挟持部材
１１      第１挟持片
１２      第２挟持片
１３（１３ａ，１３ｂ，１３ｃ）      液だれ誘導爪（第１挟持片側）
１４（１４ａ，１４ｂ，１４ｃ）      液だれ誘導爪（第２挟持片側）
１５、１６      球状体
【図１】
2016035082.tif 000003
【図２】
2016035082.tif 000004
【図３】
2016035082.tif 000005
【図４】
2016035082.tif 000006
【図５】
2016035082.tif 000007
【図６】
2016035082.tif 000008